(57)【要約】【課題】映像光と照明光との双方を、同一の光投影装置で効果的に投影することができる光投影装置を提供する。【解決手段】第一画像データ生成部１１と、第二画像データ生成部１２と、画像描画部１５と、画像選択部１３と、画像切替部１４と、第一画像または第二画像を投影する光投影部２０と、照明パラメータ入力部１８と、照明パラメータ入力部１８に入力された照明パラメータを、Ｒ、Ｇ、Ｂそれぞれの階調値に変換するパラメータ変換部１７とを備え、画像切替部１４は、展示対象物から所定の範囲内に観察者が存在するかしないかによって、光投影部２０から投影される第一画像と第二画像とを切り替える。【選択図】図１
2016161882.tif 000002
【特許請求の範囲】
【請求項１】
任意の情報を含み、Ｒ、Ｇ、Ｂそれぞれの階調値で調整される画像である第一画像を構成する第一画像データを生成する、第一画像データ生成部と、
照明用の情報を含み、明るさと色温度とを含む照明パラメータにより調整される画像である第二画像を構成する第二画像データを生成する、第二画像データ生成部と、
前記第一画像データ生成部で生成された前記第一画像データ、および、前記第二画像データ生成部で生成された前記第二画像データを、それぞれ前記第一画像および前記第二画像として描画する画像描画部と、
前記第一画像データと前記第二画像データとを任意に選択する画像選択部と、
前記画像選択部の選択結果に従って、前記画像描画部で描画処理される前記第一画像と前記第二画像とを切り替える画像切替部と、
前記画像描画部で描画された前記第一画像または前記第二画像を投影する光投影部と、
前記照明パラメータを入力する照明パラメータ入力部と、
前記照明パラメータ入力部に入力された前記照明パラメータを、Ｒ、Ｇ、Ｂそれぞれの階調値に変換し、前記第二画像データ生成部に伝達するパラメータ変換部とを備え、
前記画像切替部は、展示対象物から所定の範囲内に観察者が存在するかしないかによって、前記光投影部から投影される前記第一画像と前記第二画像とを切り替える
光投影装置。
【請求項２】
前記展示対象物から所定の範囲内に前記観察者が存在するかしないかを検出するセンサ部を備え、
前記画像選択部は、前記センサ部の検出結果に応じて、前記画像描画部で描画処理される前記第一画像または前記第二画像を選択する
請求項１に記載の光投影装置。
【請求項３】
前記第一画像の一部または全部が凹凸のある前記展示対象物上に投影される場合に、前記観察者の観察位置から、形状の歪みの無い前記第一画像が観察されるように、前記第一画像データを幾何学補正処理する画像データ形状補正処理部を備える
請求項１または２に記載の光投影装置。
【請求項４】
前記第一画像の一部または全部が色の付いた前記展示対象物上に投影される場合に、前記観察者の観察位置から観察した場合に前記第一画像の色が前記第一画像が正常な色として観察されるように、前記第一画像データを色補正する画像データ色補正処理部を備える
請求項１〜３のいずれか１項に記載の光投影装置。
【請求項５】
前記光投影部から投影される前記第二画像データを、前記展示対象物の輪郭にあわせてトリミング処理する画像データトリミング処理部を備える
請求項１〜４のいずれか１項に記載の光投影装置。
【請求項６】
任意のぼかし幅を設定するぼかし幅設定部を備え、
前記画像データトリミング処理部でトリミング処理された前記第二画像データの輪郭を、前記ぼかし幅設定部で設定されたぼかし幅でぼかす
請求項５に記載の光投影装置。
【請求項７】
前記第一画像と前記第二画像の投影切替時に、前記光投影部の投影方向が予め設定された方向となるように、前記光投影部を移動させる駆動部を備える
請求項１〜６のいずれか１項に記載の光投影装置。
【請求項８】
前記第一画像データ、前記第二画像データ、および、前記画像選択部に前記第一画像および前記第二画像のいずれかを選択させるための画像選択信号が保存されたサーバと、
前記サーバから、前記第一画像データ、前記第二画像データ、および、前記画像選択信号の少なくとも１つを受信するデータ通信部とを備える
請求項１〜７のいずれか１項に記載の光投影装置。
【発明の詳細な説明】
【技術分野】
【０００１】
本発明は、展示対象物を含む領域に任意の画像や照明光を投影する光投影装置に関する。
【背景技術】
【０００２】
従来、投影機器であるプロジェクタを照明器具（ライト）の代わりに使用して、空間演出を行う照明システムがある。この照明システムにおいて使用される照明器具は、ムービングプロジェクタとも呼ばれている。ムービングプロジェクタは、投影光として映像光を出射する。このため、上述した照明システムでは、投影光の形、色を自由に変更することにより、映像の投影と照明とを切り替えて行っている（例えば、特許文献１参照）。
【先行技術文献】
【特許文献】
【０００３】
【特許文献１】国際公開第２０１０／０５８３８１号
【発明の概要】
【発明が解決しようとする課題】
【０００４】
特許文献１に開示されている照明システムは、情報提示のための映像光としての第一画像と照明光を模擬した第二画像とを投影するものである。上述した照明システムでは、第一画像を照射する情報提示領域（スクリーンなど）と、第二画像を照射する展示対象物（商品などの展示物）とが予め設定されている。第一画像は、情報提示領域に照射され、第二画像は、展示対象領域に照射される。
【０００５】
上述した照明システムでは、情報提示領域と展示対象領域の投影領域が区別されているため、第一画像および第二画像がそれぞれの異なる表示領域に照射されると、画像の形状が歪んだり、所望の色が表示されないといった問題が生じる。例えば、第一画像が展示対象領域に照射されると、展示対象物に第一画像の一部が投影されるため、展示対象物上に投影された第一画像は、形状が歪んだり所望の色が表示されなかったりといった問題が生じる。また、第二画像が展示対象領域に照射されず情報提示領域に照射されると、展示対象物が目立たなくなるといった問題が生じる。
【０００６】
そこで、上記課題に鑑み、本発明は、映像光と照明光との双方を、同一の光投影装置で効果的に投影することができる光投影装置を提供することを目的とする。
【課題を解決するための手段】
【０００７】
上記目的を達成するために、本発明に係る光投影装置の一態様は、任意の情報を含み、Ｒ、Ｇ、Ｂそれぞれの階調値で調整される画像である第一画像を構成する第一画像データを生成する、第一画像データ生成部と、照明用の情報を含み、明るさと色温度とを含む照明パラメータにより調整される画像である第二画像を構成する第二画像データを生成する、第二画像データ生成部と、前記第一画像データ生成部で生成された前記第一画像データ、および、前記第二画像データ生成部で生成された前記第二画像データを、それぞれ前記第一画像および前記第二画像として描画する画像描画部と、前記第一画像データと前記第二画像データとを任意に選択する画像選択部と、前記画像選択部の選択結果に従って、前記画像描画部で描画処理される前記第一画像と前記第二画像とを切り替える画像切替部と、前記画像描画部で描画された前記第一画像または前記第二画像を投影する光投影部と、前記照明パラメータを入力する照明パラメータ入力部と、前記照明パラメータ入力部に入力された前記照明パラメータを、Ｒ、Ｇ、Ｂそれぞれの階調値に変換し、前記第二画像データ生成部に伝達するパラメータ変換部とを備え、前記画像切替部は、展示対象物から所定の範囲内に観察者が存在するかしないかによって、前記光投影部から投影される前記第一画像と前記第二画像とを切り替える。
【発明の効果】
【０００８】
本発明によれば、映像光と照明光との双方を、同一の光投影装置で効果的に投影することができる光投影装置を提供することができる。
【図面の簡単な説明】
【０００９】
【図１】実施の形態１にかかる光投影装置の構成を示すブロック図
【図２Ａ】実施の形態１にかかる光投影装置の動作例を示す斜視図
【図２Ｂ】実施の形態１にかかる光投影装置の動作例を示す斜視図
【図３Ａ】実施の形態１にかかる光投影装置において、映像光と照明光とを切り替える場合の一例を示す斜視図
【図３Ｂ】実施の形態１にかかる光投影装置において、映像光と照明光とを切り替える場合の他の例を示す斜視図
【図４】実施の形態１の変形例にかかる光投影装置の構成を示すブロック図
【図５】実施の形態２にかかる光投影装置の構成を示すブロック図
【図６】実施の形態２にかかる光投影装置において、映像光と照明光とを切り替える場合の一例を示す斜視図
【図７】実施の形態３にかかる光投影装置の構成を示すブロック図
【図８】実施の形態３にかかる光投影装置の形状補正処理の一例を示す図
【図９】実施の形態３にかかる光投影装置の形状補正処理の一例を示す図
【図１０】実施の形態３にかかる光投影装置の形状補正処理の一例を示す図
【図１１】実施の形態３にかかる光投影装置の形状補正処理の一例を示す図
【図１２】実施の形態３にかかる光投影装置の形状補正処理の一例を示す図
【図１３】実施の形態３にかかる光投影装置の形状補正処理の一例を示す図
【図１４】実施の形態４にかかる光投影装置の構成を示すブロック図
【図１５】実施の形態５にかかる光投影装置の構成を示すブロック図
【図１６】実施の形態６にかかる光投影装置の構成を示すブロック図
【図１７】実施の形態７にかかる光投影装置の構成を示すブロック図
【図１８】実施の形態８にかかる光投影装置の構成を示すブロック図
【発明を実施するための形態】
【００１０】
本実施の形態に係る光投影装置の一態様は、任意の情報を含み、Ｒ、Ｇ、Ｂそれぞれの階調値で調整される画像である第一画像を構成する第一画像データを生成する、第一画像データ生成部と、照明用の情報を含み、明るさと色温度とを含む照明パラメータにより調整される画像である第二画像を構成する第二画像データを生成する、第二画像データ生成部と、前記第一画像データ生成部で生成された前記第一画像データ、および、前記第二画像データ生成部で生成された前記第二画像データを、それぞれ前記第一画像および前記第二画像として描画する画像描画部と、前記第一画像データと前記第二画像データとを任意に選択する画像選択部と、前記画像選択部の選択結果に従って、前記画像描画部で描画処理される前記第一画像と前記第二画像とを切り替える画像切替部と、前記画像描画部で描画された前記第一画像または前記第二画像を投影する光投影部と、前記照明パラメータを入力する照明パラメータ入力部と、前記照明パラメータ入力部に入力された前記照明パラメータを、Ｒ、Ｇ、Ｂそれぞれの階調値に変換し、前記第二画像データ生成部に伝達するパラメータ変換部とを備え、前記画像切替部は、展示対象物から所定の範囲内に観察者が存在するかしないかによって、前記光投影部から投影される前記第一画像と前記第二画像とを切り替える。
【００１１】
この構成によれば、映像光と照明光との双方を、同一の光投影装置で効果的に投影することができる。このとき、照明光については、一般の照明と同様に、明るさおよび色温度を照明パラメータとして調整することにより、照明光として適した調光および調色を行うことができる。
【００１２】
また、前記展示対象物から所定の範囲内に前記観察者が存在するかしないかを検出するセンサ部を備え、前記画像選択部は、前記センサ部の検出結果に応じて、前記画像描画部で描画処理される前記第一画像または前記第二画像を選択してもよい。
【００１３】
この構成によれば、センサ部を備えることにより、観察者が展示対象物から所定の範囲内に存在するかどうかを検知して、ユーザの手動によらずに自動で第一画像と第二画像とを切り替えることができる。
【００１４】
また、前記第一画像の一部または全部が凹凸のある前記展示対象物上に投影される場合に、前記観察者の観察位置から、形状の歪みの無い前記第一画像が観察されるように、前記第一画像データを幾何学補正処理する画像データ形状補正処理部を備えてもよい。
【００１５】
この構成によれば、展示対象物が凹凸のある立体物であっても、光投影部から展示対象物に対して形状のゆがみのない映像光を投影することができる。
【００１６】
また、前記第一画像の一部または全部が色の付いた前記展示対象物上に投影される場合に、前記観察者の観察位置から観察した場合に前記第一画像の色が前記第一画像が正常な色として観察されるように、前記第一画像データを色補正する画像データ色補正処理部を備えてもよい。
【００１７】
この構成によれば、展示対象物が色の付いた立体物であっても、光投影部から展示対象物に対して表示させたい色に見える映像光を投影することができる。
【００１８】
また、前記光投影部から投影される前記第二画像データを、前記展示対象物の輪郭にあわせてトリミング処理する画像データトリミング処理部を備えてもよい。
【００１９】
この構成によれば、展示対象物を明るく、情報提示領域を暗く照明することにより、展示対象物を強調する照明を行うことができる。
【００２０】
また、任意のぼかし幅を設定するぼかし幅設定部を備え、前記画像データトリミング処理部でトリミング処理された前記第二画像データの輪郭を、前記ぼかし幅設定部で設定されたぼかし幅でぼかしてもよい。
【００２１】
この構成によれば、光投影部から情報提示領域および展示対象物に対して、照明光の輪郭をぼかして、より自然な照明光を投影することができる。
【００２２】
また、前記第一画像と前記第二画像の投影切替時に、前記光投影部の投影方向が予め設定された方向となるように、前記光投影部を移動させる駆動部を備えてもよい。
【００２３】
この構成によれば、光投影部は、映像光である第一画像を投影する方向と照明光である第二を投影する方向とが異なる場合に、第一画像および第二画像の切り替えに合わせて、駆動部により自動で投影方向を変更することができる。
【００２４】
また、前記第一画像データ、前記第二画像データ、および、前記画像選択部に前記第一画像および前記第二画像のいずれかを選択させるための画像選択信号が保存されたサーバと、前記サーバから、前記第一画像データ、前記第二画像データ、および、前記画像選択信号の少なくとも１つを受信するデータ通信部とを備えてもよい。
【００２５】
この構成によれば、第一画像データ処理部および第二画像データ処理部を備えなくても、データ通信によりサーバから第一画像データおよび第二画像データを取得することができるので、光投影装置を小型化することができる。また、第一画像および第二画像を、複数の光投影装置または異なる光投影装置で共通に使用することができる。
【００２６】
以下、本発明の実施の形態について、図面を参照しながら説明する。なお、以下に説明する実施の形態は、いずれも本発明の好ましい一具体例を示すものである。したがって、以下の実施の形態で示される数値、形状、材料、構成要素、構成要素の配置位置及び接続形態、工程、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００２７】
なお、各図は、模式図であり、必ずしも厳密に図示されたものではない。また、各図において、実質的に同一の構成に対しては同一の符号を付しており、重複する説明は省略又は簡略化する。
【００２８】
（実施の形態１）
図１は、本実施の形態にかかる光投影装置１の構成を示すブロック図である。
【００２９】
図１に示すように、光投影装置１は、Ｒ、Ｇ、Ｂそれぞれの階調値で調整される画像である第一画像を構成する第一画像データを生成する第一画像データ生成部１１と、照明用の情報を含み、明るさと色温度とを含む照明パラメータにより調整される画像である第二画像を構成する第二画像データを生成する第二画像データ生成部１２と、第一画像データ生成部１１で生成された第一画像データおよび第二画像データ生成部１２で生成された第二画像データをそれぞれ第一画像および第二画像として描画する画像描画部１５と、投影する第一画像データと第二画像データとを任意に選択する画像選択部１３と、画像選択部１３の選択結果に従って、画像描画部１５で描画処理される第一画像と第二画像とを切り替える画像切替部１４と、画像描画部１５で描画された第一画像または第二画像を投影する光投影部２０と、照明パラメータを入力する照明パラメータ入力部１８と、照明パラメータ入力部１８に入力された照明パラメータを、Ｒ、Ｇ、Ｂそれぞれの階調値に変換するパラメータ変換部１７とを備えている。
【００３０】
光投影装置１は、機能的には、演算部１０と、光投影部２０とで構成されている。演算部１０は、例えば、光投影部２０が内蔵された筐体に光投影部２０と共に内蔵された演算装置である。光投影部２０は、例えば、ＬＥＤやレーザー、メタルハライドランプ（または超高圧水銀ランプ）などを光源として備えた光照射装置で構成されている。なお、演算部１０は、光投影部２０に外付けされた、パーソナルコンピュータ等の演算装置で構成されていてもよい。
【００３１】
図２Ａおよび図２Ｂは、本実施の形態にかかる光投影装置１の動作例を示す図である。図２Ａは、映像光が照射された様子を示す斜視図、図２Ｂは、照明光が照射された様子を示す斜視図である。
【００３２】
光投影装置１は、図２Ａおよび図２Ｂに示すように、展示対象物３および展示対象物３以外の領域に対して画像を投影する。
【００３３】
ここで、展示対象物３とは、任意の凹凸形状を有する３次元形状の商品および商品模型、プレート、展示パネル等、展示され得るあらゆる物体を指す。また、展示対象物３以外の領域とは、例えば、展示対象物３を観察する観察者５から見て、展示対象物３の背面側に配置された、スクリーン、パネル、壁面、床面等、観察者５に展示対象物３に関する情報を、文字や画像を投影することにより提示することができる情報提示領域２をいう。
【００３４】
光投影装置１が投影する画像は、情報提示領域２に展示対象物３の説明などの情報を提示する映像光としての画像と、展示対象物３をライトアップするための照明光としての画像である。光投影装置１は、状況に応じて、これらの画像を切り替えて情報提示領域２および展示対象物３に投影する。
【００３５】
例えば、情報提示領域２であるスクリーンの前に、展示対象物３としてマネキンが展示されている場合を挙げる。光投影装置１は、情報提示領域２に展示対象物３の説明などの情報を提示するときには、図２Ａに示すように、情報提示領域２および展示対象物３に展示対象物３の説明などの情報を含む映像光（画像）を照射する。また、光投影装置１は、展示対象物３をライトアップして強調したい場合には、図２Ｂに示すように、照明光（画像）を照射する。このように、光投影装置１は、映像光としての画像と照明光としての画像が投影されるように切り替えることにより、一台の光投影装置１によって映像光の照射と照明光の照射との双方の照射を行う。
【００３６】
以下、光投影装置１の構成について、詳細に説明する。
【００３７】
上述したように、光投影装置１は、機能的には、演算部１０と、光投影部２０とを備えている。
【００３８】
演算部１０は、図１に示すように、第一画像データ生成部１１と、第二画像データ生成部１２と、画像選択部１３と、画像切替部１４と、画像描画部１５とを備えている。
【００３９】
第一画像データ生成部１１は、情報提示領域２および展示対象物３に投影する、展示対象物３の説明などの情報を含む映像光（第一画像）を構成する、第一画像データを生成する。なお、展示対象物３の説明などの情報を含む映像光は、本発明における第一画像に相当する。第一画像は、テキスト画像（文字）、ＰＣ等で作成されたＣＧ画像、カメラで撮影された実写画像等の任意の画像である。また、第一画像には、静止画および動画が含まれてもよい。なお、単色のカラーのみで構成される画像は、ＣＧ画像に含まれるものとする。また、第一画像を表すのはＲＧＢを用いた階調表示に限られない。例えば、ＹＵＶなどのように輝度や、色差を用いた表色系を用いることもできる。任意の表色系で表された画像を、ＲＧＢを用いた階調表示に変換して、第一画像データとしても構わない。
【００４０】
第二画像データ生成部１２は、展示対象物３をライトアップする照明光（第二画像）を構成する、第二画像データを生成する。なお、展示対象物３をライトアップする照明光は、本発明における第二画像に相当する。第二画像は、照明光を模した画像である。第二画像は、単色のカラーのみで構成される画像であってもよいし、時間的に複数のカラーに変化する構成の画像であってもよい。
【００４１】
なお、第一画像データ生成部１１および第二画像データ生成部１２は、既存の画像作成ツールで第一画像データおよび第二画像データをそれぞれ作成してもよいし、予め作成された第一画像データおよび第二画像データをそれぞれ第一画像データ生成部１１および第二画像データ生成部１２に格納しておき、格納された第一画像データおよび第二画像データを画像投影時に読み出してもよい。
【００４２】
画像選択部１３は、第一画像および第二画像のいずれを投影するかを任意に選択する。すなわち、第一画像データおよび第二画像データのいずれかを任意に選択する。画像選択部１３における画像の選択は、ユーザにより行われてもよいし、一定の時間毎または所定の時刻に自動的に行われてもよい。
【００４３】
画像切替部１４は、画像選択部１３で選択された結果に従って、次に説明する画像描画部１５で描画処理される第一画像と第二画像とを切り替える。第一画像および第二画像の切り替えは、指定の領域に観察者５が存在しているか存在していないかによって切り替える構成としてもよいし、ユーザが画像切替部１４を任意に操作することによって行われてもよい。なお、第一画像と第二画像との切り替えについては、後に詳述する。
【００４４】
画像描画部１５は、液晶パネルやＤＭＤ（Ｄｉｇｉｔａｌ  Ｍｉｃｒｏｍｉｒｒｏｒ  Ｄｅｖｉｃｅ）パネルといった画像素子で構成され、画面を構成する画素に対してＲＧＢを配置する描画処理を行う。画像切替部１４での第一画像および第二画像の切り替えに従って、第一画像データおよび第二画像データのいずれかを描画する。
【００４５】
光投影部２０は、画像描画部１５で描画された第一画像および第二画像を情報提示領域２および展示対象物３に投影する。光投影部２０は、例えば照明装置であり、展示対象物３が存在する領域の少なくとも一部を含む範囲が投影範囲となる位置に設置されている。したがって、光投影部２０により投影可能な範囲が情報提示領域２となる。
【００４６】
光投影部２０は、具体的には、図２Ａに斜線で示したように、情報提示領域２の全体に第一画像を投影する。このとき、展示対象物３にも第一画像が投影されてもよい。
【００４７】
また、光投影部２０は、図２Ｂに示したように、展示対象物３に第二画像を投影する。このとき、情報提示領域２の一部にも第二画像が投影されてもよい。
【００４８】
なお、光投影装置１は、第一画像と第二画像との投影領域を区別するものではない。したがって、展示対象物３上にも第一画像を投影してもよいし、情報提示領域２に第二画像を投影してもよい。
【００４９】
図３Ａおよび図３Ｂは、実施の形態１にかかる光投影装置１において、映像光と照明光とを切り替える場合の例を示す斜視図である。
【００５０】
映像光と照明光とを切り替える場合の例としては、図３Ａの（ａ）に示すように、観察者５が展示対象物３に対して遠方にいる場合は、展示対象物３の上または展示対象物３とその周辺の情報提示領域２にアイキャッチや誘導、情報提供のための映像光である第一画像を投影する。また、観察者５が展示対象物３に近づいた場合は、展示対象物３のライトアップを目的とした照明光である第二画像に切り替え、図３Ａの（ｂ）に示すように、展示対象物３に第二画像を投影する。
【００５１】
また、他の例としては、図３Ｂの（ａ）に示すように、観察者５が展示対象物３に対して遠方にいる場合は、展示対象物３のライトアップを目的とした照明光である第二画像を投影する。また、観察者５が展示対象物３に近づいた場合は、展示対象物３または展示対象物３とその周辺の情報提示領域２にアイキャッチや誘導、情報提供のための映像光である第一画像に切り替え、図３Ｂの（ｂ）に示すように、情報提供領域２または情報提示領域２と展示対象物３に第一画像を投影する。
【００５２】
このような構成により、本実施の形態にかかる光投影装置１は、映像光と照明光との双方を、同一の光投影装置で効果的に投影することができる。
【００５３】
なお、光投影装置１は、照明光として投影される第二画像について、以下の変形例に示すように、照明光の明るさおよび色を任意に変更することができる構成としてもよい。
【００５４】
（実施の形態１の変形例）
以下、実施の形態１の変形例について説明する。図４は、本変形例にかかる光投影装置の構成を示すブロック図である。
【００５５】
本変形例における光投影装置１は、図４に示すように、実施の形態１に示した光投影装置１の演算部１０ａにおいて、さらに、パラメータ変換部１７と、照明パラメータ入力部１８とを備えている。これにより、光投影装置１は、照明光である第二画像の調光および調色を行うことができる。
【００５６】
一般に、照明は、明るさ［パーセンテージ］と色温度［ケルビン］とを調整することにより、照明の明るさおよび色を変更するものである。したがって、光投影装置１において照明光である第二画像の調光および調色を行う場合、明るさおよび色温度が照明パラメータとなる。すなわち、明るさまたは色温度の少なくとも１つを変更することにより、照明光の明るさおよび色を調整する。なお、映像光については、明るさの出力値やＲ、Ｇ、Ｂのそれぞれの階調値を変更することにより、映像光の明るさおよび色を変更することができる。
【００５７】
照明パラメータ入力部１８は、例えば、手動で位置を移動することができるツマミを備えた調整装置であって、ツマミの位置を移動させることにより明るさと色温度とを調整するものであってもよいし、コンピュータの画面上で数値またはカーソル位置を変更させることにより明るさと色温度とを調整するものであってもよい。また、コンピュータにより、自動で明るさおよび色温度の少なくとも１つを変更するものであってもよい。
【００５８】
パラメータ変換部１７は、照明パラメータ入力部１８で入力された照明パラメータを、画像用のＲ、Ｇ、Ｂのそれぞれの階調値に変換する。すなわち、照明パラメータ入力部１８において、明るさおよび色温度の少なくとも１つが変更されたときに、その変更の値に応じて画像用のＲ、Ｇ、Ｂのそれぞれの階調を変更する。
【００５９】
さらに、パラメータ変換部１７は、変換したＲ、Ｇ、Ｂの階調値を第二画像データ生成部１２に伝達する。これにより、第二画像データ生成部１２は、照明パラメータ入力部１８で調整された明るさおよび色温度に基づいて、第二画像データを生成する。光投影部２０により第二画像が投影されることにより、照明の明るさおよび色が変更された照明光が投影される。したがって、光投影装置１においても、一般の照明と同様に、明るさおよび色温度を調整することにより、照明光として適した調光および調色を行うことができる。
【００６０】
以上、本実施の形態にかかる光投影装置１によると、映像光と照明光との双方を、同一の光投影装置で効果的に投影することができる。このとき、照明光については、一般の照明と同様に、明るさおよび色温度を照明パラメータとして調整することにより、照明光として適した調光および調色を行うことができる。
【００６１】
（実施の形態２）
次に、実施の形態２に係る光投影装置について、図５および図６を用いて説明する。図５は、本実施の形態にかかる光投影装置の構成を示すブロック図である。図６は、本実施の形態にかかる光投影装置において、映像光と照明光とを切り替える場合の一例を示す斜視図である。
【００６２】
本実施の形態に係る光投影装置が実施の形態１に係る光投影装置１と異なる点は、図５に示すように、センサ部３０を備えている点である。
【００６３】
センサ部３０は、展示対象物から所定の範囲内に観察者が存在するかしないかを検出する。そして、センサ部３０の検出結果に応じて、画像選択部１３は、画像描画部１５で描画処理される第一画像または第二画像を選択する。
【００６４】
センサ部３０は、例えば、赤外線センサ、カメラセンサ等であり、観察者５が展示対象物３から所定の範囲内に存在するかどうかを検知する。センサ部３０により観察者５の存在を検知することができる範囲は、例えば、展示対象物３から２〜３ｍの範囲である。
【００６５】
センサ部３０は、観察者５が展示対象物３から一定の範囲内に存在するかことを検知すると、その結果を画像選択部１３に伝達する。画像選択部１３は、センサ部３０で検知された結果により、第一画像および第二画像のいずれを選択するかを決定する。
【００６６】
例えば、図６の（ａ）に示すように、観察者５が展示対象物３に対して遠方にいる場合、すなわち、センサ部３０により観察者５の存在が検知されない場合には、画像選択部１３は、映像光である第一画像を選択する。これにより、光投影部２０は、第一画像を情報提示領域２および展示対象物３に投影する。
【００６７】
また、図６の（ｂ）に示すように、観察者５が展示対象物３に近づいた場合、すなわち、センサ部３０により観察者５の存在が検知される場合には、画像選択部１３は、照明光である第二画像を選択する。これにより、投影部２０は、第二画像を情報提示領域２および展示対象物３に投影する。したがって、観察者５からは、展示対象物３がライトアップされたように見える。
【００６８】
以上、本実施の形態に係る光投影装置によると、センサ部３０を備えることにより、観察者５が展示対象物３から所定の範囲内に存在するかどうかを検知して、ユーザの手動によらずに自動で第一画像と第二画像とを切り替えることができる。
【００６９】
なお、画像選択部１３は、センサ部３０により観察者５の存在が検知されない場合には、照明光である第二画像を選択し、センサ部３０により観察者５の存在が検知される場合に、映像光である第一画像を選択してもよい。
【００７０】
（実施の形態３）
次に、実施の形態３に係る光投影装置について、図７を用いて説明する。図７は、本実施の形態にかかる光投影装置の構成を示すブロック図である。
【００７１】
本実施の形態に係る光投影装置が実施の形態１に係る光投影装置と異なる点は、図７に示すように、演算部１０ｂがさらに画像データ形状補正処理部４０を備えている点である。
【００７２】
画像データ形状補正処理部４０は、第一画像の一部または全部が凹凸のある展示対象物３上に投影される場合に、観察者５の観察位置から、形状の歪みの無い第一画像が観察されるように、第一画像データの形状を補正（幾何学補正）する。
【００７３】
映像光である第一画像が情報提示領域２および展示対象物３に投影される場合、情報提示領域２に投影された映像光に対して展示対象物３に投影された映像光は、形状にゆがみが生じる。また、展示対象物３が凹凸のある立体物であれば、展示対象物３の形状によって、映像光の形状にゆがみが生じる。そこで、映像光がゆがみのない画像に見えるようにするためには、ゆがみが想定される投影位置について形状の補正を行う必要がある。
【００７４】
画像データ形状補正処理部４０は、映像光である第一画像が情報提示領域２および展示対象物３に投影される場合に、展示対象物３に投影される画像について形状の補正を行うものである。
【００７５】
具体的には、画像データ形状補正処理部４０は、第一画像データ生成部１１で生成された第一画像データのうち、展示対象物３の位置に投影される部分について予め形状のゆがみが補正された、補正データを生成する。そして、画像データ形状補正処理部４０から、画像描画部１５に補正データが伝達される。これにより、画像描画部１５では、予め形状のゆがみが補正された第一画像データが描画される。そして、描画された第一画像データが光投影部２０から投影される。
【００７６】
次に、光投影装置において、展示対象物３が凹凸のある立体物であっても、光投影部２０から展示対象物３に対して形状のゆがみのない映像光を投影できることについて説明する。
【００７７】
例えば、図８に示すように、観察者５に対して距離Ｌだけ離間し、観察者５に対して斜めに傾斜して配置された平板状物体４１ａを展示対象物３として考える。この平板状物体４１ａは、観察者５の視点位置Ｐ１から視野角θ１で視認される。観察者５の視野中心と交差する平板状物体４１ａ上の点Ｐ２から観察者５までは、距離Ｌ１だけ離間している。
【００７８】
視点位置Ｐ１と平板状物体４１ａ上の点Ｐ２との位置関係において、図９の（ａ）に示すように、図９の（ｂ）に示す格子状の平面映像４３を、観察者５から見る映像面４２ａを介して平板状物体４１ａ上で見る場合を考える。この場合、映像面４２ａに図９の（ｂ）に示す平面映像４３が表示されていると同じ映像を平板状物体４１ａに表示させる場合、映像面４２ａ上の各座標と平板状物体４１ａ上の各座標との対応関係を取得する必要がある。模式的に図９の（ａ）に示しているが、映像面４２ａ上の点ｂ１、ｂ２、ｂ３、ｂ４、ｂ５は、平板状物体４１ａ上の点ａ１、ａ２、ａ３、ａ４、ａ５に対応している。したがって、平板状物体４１ａ上の点ａ１、ａ２、ａ３、ａ４、ａ５に表示された映像は、観察者５からは映像面４２ａ上における点ｂ１、ｂ２、ｂ３、ｂ４、ｂ５として視認される。
【００７９】
また、図１０に示すように、観察者５の視線と平板状物体４１ａとが交差する点Ｐ２と、光投影部２０の投影位置Ｐ３とは、Ｌ２の距離となっている。また、光投影部２０は、所定の投影画角θ２の範囲で投影光を投影する。
【００８０】
この場合、光投影部２０の映像面４２ｂと平板状物体４１ａとの位置関係は、図１１の（ａ）に示すように、平板状物体４１ａ上の点ａ１、ａ２、ａ３、ａ４、ａ５が、映像面４２ｂ上の点ｃ１、ｃ２、ｃ３、ｃ４、ｃ５に対応している。すなわち、光投影部２０の投影位置Ｐ３から映像面４２ｂ上の点ｃ１、ｃ２、ｃ３、ｃ４、ｃ５を延長した直線上の点が、平板状物体４１ａの点ａ１、ａ２、ａ３、ａ４、ａ５となる。
【００８１】
このような観察者５の視点位置Ｐ１及び視野角θ１、平板状物体４１ａの位置、光投影部２０の投影位置Ｐ３及び投影画角θ２の関係から、図１１の（ａ）に示した光投影部２０における映像面４２ｂ上の点ｃ１、ｃ２、ｃ３、ｃ４、ｃ５に映像を投影させると、平板状物体４１ａ上の点ａ１、ａ２、ａ３、ａ４、ａ５に映像が投影される。その結果、平板状物体４１ａ上の点ａ１、ａ２、ａ３、ａ４、ａ５が、図９の（ａ）における映像面４２ａ上の点ｂ１、ｂ２、ｂ３、ｂ４、ｂ５として視認されることとなる。したがって、観察者５に平面映像４３を視認させるためには、光投影部２０は、映像面４２ａ上の各座標に対応した平板状物体４１ａ上の各座標と、映像面４２ｂ上の各座標に対応した平板状物体４１ａ上の各座標との対応関係に基づいて、図１１の（ｂ）に示すように歪ませた平面映像４３ａを投影する必要がある。
【００８２】
このような光投影装置の投影動作を実現するために、演算装置は、図９の（ａ）に示すように、観察者５の視点位置Ｐ１を示す視点位置及び視線方向を示す視点位置姿勢パラメータ及び観察者５の視野角θ１を示す視野角パラメータを取得する。これらの観察者５のパラメータは、上述した映像面４２ａを定める。
【００８３】
また、光投影部２０から出射された映像光を投影する平板状物体４１ａの形状データを取得する。この形状データは、例えばＣＡＤデータである。ここで、視点位置姿勢パラメータは、３次元座標空間における、Ｘ、Ｙ、Ｚ軸上の位置および軸周りの回転角度を数値で定義したものである。この視点位置姿勢パラメータは、視点位置Ｐ１と平板状物体４１ａとの距離Ｌ１と、視点位置Ｐ１に対する平板状物体４１ａの姿勢を一意に定める。また、平板状物体４１ａの形状データとは、ＣＡＤ等で作成された電子データを基に、３次元座標空間における形状領域を定義したものである。この形状データは、視点位置Ｐ１から見た平板状物体４１ａの形状を一意に定める。このような平板状物体４１ａの形状データと観察者５のパラメータとは、映像面４２ａの座標と平板状物体４１ａ上の座標との対応関係を定める。
【００８４】
また、図１０に示すように光投影部２０が設置されたことに対し、演算装置は、光投影部２０の投影位置Ｐ３及び当該光投影部２０の光軸方向を示す位置姿勢パラメータ及び光投影部２０の投影画角θ２を示す投影画角パラメータを取得する。この光投影部２０の位置姿勢パラメータ及び投影画角パラメータは、光投影部２０が平板状物体４１ａに対して投影する映像面４２ｂを表す。この映像面４２ｂが定まると、光投影部２０から投影される映像光が映像面４２ｂを介して平板状物体４１ａのどの座標に投影されるかが定められる。すなわち、光投影部２０の位置姿勢パラメータ及び投影画角パラメータと、平板状物体４１ａの位置姿勢パラメータ及び形状データとは、光投影部２０から出射された映像光によって覆われる平板状物体４１ａの範囲が一意に決まる。光投影部２０がプロジェクタである場合、投影位置Ｐ３はバックフォーカス及び打ち込み角で定義され、投影画角θ２は投影位置Ｐ３から一定距離での水平及び垂直方向の投影範囲から算出される。
【００８５】
そして、演算装置は、平板状物体４１ａに表示される映像光の画素（ａ１、ａ２、ａ３、ａ４、ａ５）と光投影部２０の投影位置Ｐ３とを結ぶ直線と、映像面４２ｂとの交点（ｃ１、ｃ２、ｃ３、ｃ４、ｃ５）に画素を配置して平面映像４３ａを構成し、その平面映像４３ａを平板状物体４１ａに投影させる。そして、映像面４２ｂ上の点ｃ１、ｃ２、ｃ３、ｃ４、ｃ５、平板状物体４１ａ上の点ａ１、ａ２、ａ３、ａ４、ａ５、映像面４２ａ上の点ｂ１、ｂ２、ｂ３、ｂ４、ｂ５という経路で観察者５にとって歪みのない映像を視認させることができる。
【００８６】
同様に、展示対象物３が平板状物体４１ａのような形状ではなく、ドーム型のものであっても形状のゆがみがない映像光を観察者５に視認させることができる。図１２の（ａ）に示すように展示対象物３がドーム型物体４１ｂであり、図１２の（ｂ）に示すように、観察者５に格子状の映像光を視認させる場面を考える。この場合、観察者５からは、映像面４２ａ上の点ｂ１、ｂ２、ｂ３、ｂ４、ｂ５の延長線上におけるドーム型物体４１ｂ上の点ａ１、ａ２、ａ３、ａ４、ａ５が視認される。これに対し、光投影部２０は、図１３の（ａ）に示すように映像面４２ｂに映像光を投影する。この映像面４２ｂにおける点ｃ１、ｃ２、ｃ３、ｃ４、ｃ５を通過した映像光は、ドーム型物体４１ｂにおける点ａ１、ａ２、ａ３、ａ４、ａ５に投影されて、図１２の（ａ）に示す映像面４２ａの点ｂ１、ｂ２、ｂ３、ｂ４、ｂ５として視認される。したがって、光投影部２０は、映像面４２ｂに対して図１３の（ｂ）に示すように歪ませた平面映像４３ａを投影する。これに対し、観察者５は、図１２の（ｂ）に示すような歪みのない平面映像４３を視認することができる。
【００８７】
これにより、本実施の形態にかかる光投影装置は、展示対象物３が凹凸のある立体物であっても、光投影部２０から展示対象物３に対して形状のゆがみのない映像光を投影することができる。
【００８８】
なお、上述した画像データ形状補正処理部４０では、第一画像の一部、具体的には、展示対象物３の位置に投影される部分について予め形状のゆがみが補正された、補正データを生成することとしたが、第一画像の一部に限らず、第一画像の全部のデータについて予め形状のゆがみが補正されてもよい。
【００８９】
（実施の形態４）
次に、実施の形態４に係る光投影装置について、図１４を用いて説明する。図１４は、本実施の形態にかかる光投影装置の構成を示すブロック図である。
【００９０】
本実施の形態に係る光投影装置が実施の形態１に係る光投影装置と異なる点は、図１４に示すように、演算部１０ｃがさらに画像データ色補正処理部４５を備えている点である。
【００９１】
画像データ色補正処理部４５は、第一画像の一部または全部が色の付いた展示対象物３上に投影される場合に、観察者５の観察位置から第一画像の色が表示させたい色として観察されるように、第一画像データを色補正する。
【００９２】
映像光である第一画像が情報提示領域２および展示対象物３に投影される場合、情報提示領域２に投影された映像光に対して展示対象物３に投影された映像光は、展示対象物３の色に応じて所望の色とは異なる色に見える。そこで、映像光の色が表示させたい正常な色に見えるようにするためには、映像光の色の補正を行う必要がある。
【００９３】
画像データ色補正処理部４５は、映像光である第一画像が情報提示領域２および展示対象物３に投影される場合に、展示対象物３に投影される画像について色の補正を行うものである。
【００９４】
具体的には、画像データ色補正処理部４５は、第一画像データ生成部１１で生成された第一画像データのうち、予め定められた補正方法に基づき、展示対象物３の位置に投影される部分について色の補正を行う。そして、画像データ色補正処理部４５から画像描画部１５に、生成された補正データが伝達される。これにより、画像描画部１５では、予め色の補正が行われた第一画像データが描画される。そして、描画された第一画像データが光投影部２０から投影される。
【００９５】
これにより、本実施の形態にかかる光投影装置は、展示対象物３が色の付いた立体物であっても、光投影部２０から展示対象物３に対して表示させたい色に見える映像光を投影することができる。
【００９６】
なお、上述した画像データ色補正処理部４５では、第一画像の一部、具体的には、展示対象物３の位置に投影される部分について予め色の補正が行われた、補正データを生成することとしたが、第一画像の一部に限らず、第一画像の全部のデータについて予め色の補正が行われてもよい。
【００９７】
（実施の形態５）
次に、実施の形態５に係る光投影装置について、図１５および図１６を用いて説明する。図１５および図１６は、本実施の形態にかかる光投影装置の構成を示すブロック図である。
【００９８】
本実施の形態に係る光投影装置が実施の形態１に係る光投影装置と異なる点は、図１５に示すように、演算部１０ｄがさらに画像データトリミング処理部５０を備えている点である。
【００９９】
画像データトリミング処理部５０は、光投影部２０から投影される第二画像データを、展示対象物３の輪郭にあわせてトリミング処理する。なお、画像データトリミング処理部５０は、照明を行いたい領域の形状に合わせてトリミング処理を行ってもよい。
【０１００】
具体的には、画像データトリミング処理部５０は、第二画像データ生成部１２で生成された第二画像データのうち、展示対象物３の位置に投影される部分には第二画像データを投影し、展示対象物３の位置以外の部分については第二画像データを投影しないように、トリミング処理が行われたデータを生成する。すなわち、展示対象物３の形状に合わせて、展示対象物３の形状以外の部分についてトリミング処理が行われたデータを生成する。そして、画像データトリミング処理部５０から画像描画部１５に、トリミング処理が行われたデータが伝達される。これにより、画像描画部１５では、トリミング処理が行われた第二画像データが描画される。そして、描画された第二画像データが光投影部２０から投影される。
【０１０１】
これにより、本実施の形態にかかる光投影装置は、光投影部２０から情報提示領域２および展示対象物３に対して、トリミング処理が行われた照明光を投影することができる。したがって、例えば、展示対象物３を明るく、情報提示領域２を暗く照明することにより、展示対象物３を強調する照明を行うことができる。
【０１０２】
なお、上述した画像データトリミング処理部５０では、第一画像の一部、具体的には、展示対象物３の位置が強調されるように、情報提示領域２の位置に投影される第二画像データについてトリミング処理が行われたが、例えば、展示対象物３をシルエットとして強調するように、展示対象物３の位置には第二画像データを投影せず、展示対象物３の位置以外の部分について第二画像データを投影するように、第二画像データについてトリミング処理を行い、展示対象物３を暗く、情報提供領域を明るく照明してもよい。
【０１０３】
また、光投影装置は、展示対象物３が強調されるようにトリミング処理された第二画像の輪郭をぼかしてもよい。そのために、光投影装置は、図１６の演算部１０ｅに示すように、任意のぼかし幅を設定するぼかし幅設定部６０を備えてもよい。ぼかし幅設定部６０は、画像データトリミング処理部でトリミング処理された第二画像データの輪郭をどの程度の幅でぼかすかのぼかし幅を設定する。トリミング処理がされた部分の輪郭をぼかすことにより、第二画像をより自然な照明光にすることができる。さらに、展示対象物に投影される照明が背面に対して漏れ光となる部分を目立たなくさせることができる。
【０１０４】
具体的には、ぼかすとは、トリミング処理がされた部分の境界の数ピクセルについて、トリミング処理がされていない部分からトリミング処理がされた部分に向かって徐々に明るさを変更する。このときの明るさと、明るさを変更する幅（ぼかし幅）とを変更する。
【０１０５】
これにより、本実施の形態にかかる光投影装置は、光投影部２０から情報提示領域２および展示対象物３に対して、照明光の輪郭をぼかして、より自然な照明光を投影することができる。
【０１０６】
（実施の形態６）
次に、実施の形態６に係る光投影装置について、図１７を用いて説明する。図１７は、本実施の形態にかかる光投影装置の構成を示すブロック図である。
【０１０７】
本実施の形態に係る光投影装置が実施の形態１に係る光投影装置と異なる点は、図１７に示すように、駆動部７０を備えている点である。
【０１０８】
駆動部７０は、第一画像と第二画像の投影切替時に、光投影部２０の投影方向が予め設定された方向となるように、光投影部２０を移動させる。駆動部７０は、例えばモータで構成されている。駆動部７０は、画像選択部１３に接続され、画像選択部１３での第一画像または第二画像の選択に合わせて、光投影部２０の投影方向を変更するように光投影部２０を駆動する。また、第一画像の投影方向及び第二画像の投影方向は、予めそれぞれ所望の方向に設定していてもよいし、観察者５の位置に合わせて適宜変更してもよい。
【０１０９】
これにより、光投影部２０は、映像光である第一画像を投影する方向と照明光である第二を投影する方向とが異なる場合に、第一画像および第二画像の切り替えに合わせて、駆動部７０によって自動で投影方向を変更することができる。
【０１１０】
（実施の形態７）
次に、実施の形態７に係る光投影装置について、図１８を用いて説明する。図１８は、本実施の形態にかかる光投影装置の構成を示すブロック図である。
【０１１１】
本実施の形態に係る光投影装置が実施の形態１に係る光投影装置１と異なる点は、光投影装置が、第一画像データ処理部および第二画像データ処理部を備えておらず、データ通信によりサーバから第一画像データおよび第二画像データを取得する点である。
【０１１２】
図１８に示すように、光投影装置は、演算部１０ｆと、光投影部２０と、駆動部７０と、サーバ８０とを備えている。光投影部２０と駆動部７０は、上述した実施の形態６における光投影部２０および駆動部７０と同一であるため、説明を省略する。
【０１１３】
演算部１０ｆは、画像選択部１３と、画像切替部１４と、画像描画部１５と、画像データ補正処理部８１と、画像データトリミング処理部８２と、データ通信部８３とを備えている。画像選択部１３と、画像切替部１４と、画像描画部１５とは、上述した実施の形態１〜６における画像選択部１３、画像切替部１４および画像描画部１５と同一であるため説明を省略する。また、画像データ補正処理部８１は、実施の形態３および４に示した画像データ形状補正処理部４０および画像データ色補正処理部４５の少なくともいずれかであるため、説明を省略する。また、画像データトリミング処理部８２は、実施の形態５に示した画像データトリミング処理部５０と同一であるため説明を省略する。
【０１１４】
サーバ８０は、第一画像データ、第二画像データおよび画像選択信号を保存したサーバである。画像選択信号とは、画像選択部１３に第一画像および第二画像のいずれかを選択させるための信号である。
【０１１５】
データ通信部８３は、サーバ８０とデータ通信を行うものであり、サーバ８０から第一画像データ、第二画像データおよび、画像選択信号を取得する。
【０１１６】
データ通信部８３で取得された第一画像および第二画像は、画像データ補正処理部８１によって、第一画像の形状の補正、第一画像の色の補正が行われ、画像データトリミング処理部８２によって、第二画像を強調するためのトリミング処理が行われた後、画像描画部１５に伝達される。また、データ通信部８３で取得された画像選択信号は、画像選択部１３に伝達される。画像選択部１３は、画像選択信号により、画像描画部１５に伝達された第一画像データおよび第二画像データのいずれか選択する。これにより、画像描画部１５で描画された第一画像および第二画像のいずれかが、光投影部２０から投影される。
【０１１７】
これにより、光投影装置は、第一画像データ処理部および第二画像データ処理部を備えなくても、データ通信によりサーバ８０から第一画像データおよび第二画像データを取得することができるので、光投影装置を小型化することができる。また、第一画像および第二画像を、複数の光投影装置または異なる光投影装置で共通に使用することができる。
【０１１８】
なお、光投影装置は、画像データ補正処理部８１と、画像データトリミング処理部８２とを備えない構成であってもよい。
【０１１９】
（その他変形例）
以上、本発明に係るに光投影装置について、実施の形態に基づいて説明したが、本発明は、上記実施の形態に限定されるものではない。
【０１２０】
例えば、上記した実施の形態では、画像選択部は、センサ部により観察者の存在が検知される場合には、照明光である第二画像を選択し、センサ部により観察者の存在が検知されない場合には、映像光である第一画像を選択してもよいし、センサ部により観察者の存在が検知されない場合には、照明光である第二画像を選択し、センサ部により観察者の存在が検知される場合に、映像光である第一画像を選択してもよい。
【０１２１】
また、上述した画像データ形状補正処理部では、第一画像の一部、具体的には、展示対象物３の位置に投影される部分について予め形状のゆがみが補正された、補正データを生成することとしたが、第一画像の一部に限らず、第一画像の全部のデータについて予め形状のゆがみが補正されてもよい。
【０１２２】
また、上述した画像データ色補正処理部では、第一画像の一部、具体的には、展示対象物の位置に投影される部分について予め色の補正が行われた、補正データを生成することとしたが、第一画像の一部に限らず、第一画像の全部のデータについて予め色の補正が行われてもよい。
【０１２３】
また、上述した画像データ色補正処理部では、第一画像の一部、具体的には、展示対象物の位置が強調されるように、情報提示領域の位置に投影される第二画像データについてトリミング処理が行われたが、例えば、展示対象物をシルエットとして強調するように、展示対象物の位置に投影される第二画像データについてトリミング処理を行い、展示対象物を暗く、情報提供領域を明るく照明してもよい。
【０１２４】
その他、各実施の形態及び変形例に対して当業者が思いつく各種変形を施して得られる形態や、本発明の趣旨を逸脱しない範囲で各実施の形態及び変形例における構成要素及び機能を任意に組み合わせることで実現される形態も本発明に含まれる。
【符号の説明】
【０１２５】
１  光投影装置
２  情報提示領域
３  展示対象物
５  観察者
１０、１０ａ、１０ｂ、１０ｃ、１０ｄ、１０ｅ、１０ｆ  演算部
１１  第一画像データ生成部
１２  第二画像データ生成部
１３  画像選択部
１４  画像切替部
１５  画像描画部
１７  パラメータ変換部
１８  照明パラメータ入力部
２０  光投影部
３０  センサ部
４０  画像データ形状補正処理部
４５  画像データ色補正処理部
５０、８２  画像データトリミング処理部
６０  ぼかし幅設定部
７０  駆動部
８０  サーバ
８３  データ通信部
【図１】
2016161882.tif 000003
【図２Ａ】
2016161882.tif 000004
【図２Ｂ】
2016161882.tif 000005
【図３Ａ】
2016161882.tif 000006
【図３Ｂ】
2016161882.tif 000007
【図４】
2016161882.tif 000008
【図５】
2016161882.tif 000009
【図６】
2016161882.tif 000010
【図７】
2016161882.tif 000011
【図８】
2016161882.tif 000012
【図９】
2016161882.tif 000013
【図１０】
2016161882.tif 000014
【図１１】
2016161882.tif 000015
【図１２】
2016161882.tif 000016
【図１３】
2016161882.tif 000017
【図１４】
2016161882.tif 000018
【図１５】
2016161882.tif 000019
【図１６】
2016161882.tif 000020
【図１７】
2016161882.tif 000021
【図１８】
2016161882.tif 000022